(57)【要約】【課題】リードタイムを短縮でき、カレンダー車の在庫を無くすことができる時計ムーブメントの提供。【解決手段】時計ムーブメント２は、カレンダー車である日車１０と、日車１０を駆動する日回し車１５等の駆動機構と、日車押さえ２０に形成された露出部２２とを備える。日車１０は、日情報の印刷予定領域を有する日板１１および内歯車１２を有し、日情報は印刷されていない。露出部２２は、内歯車１２の歯の位置を確認するための位置確認部である日ジャンパー１６の先端部１６１を表面側に露出させる。露出部２２から日車１０の位置を確認できるので、時計ムーブメント２に組み込んだ状態で日車１０に日情報を印刷できる。【選択図】図１
2013190297.tif 000002
【特許請求の範囲】
【請求項１】
カレンダー情報の印刷予定領域を有するカレンダー板および歯車部を有し、前記カレンダー情報が印刷されていないカレンダー車と、
前記カレンダー車を駆動する駆動機構と、
前記歯車部の歯の位置を確認するための位置確認部を表面側に露出させる露出部と、
を備えることを特徴とする時計ムーブメント。
【請求項２】
請求項１に記載の時計ムーブメントにおいて、
前記カレンダー車は、前記カレンダー板であるリング状の日板、および、前記日板の内周に形成された前記歯車部である内歯車を有し、前記カレンダー情報である日情報が印刷されていない日車であり、
前記内歯車の表面側に配置されて前記日車を押さえる日車押さえと、
前記日車の内歯車に係合する日ジャンパーとを有し、
前記露出部は、前記日車押さえに形成されて、前記内歯車に係合する日ジャンパーの先端を前記位置確認部として前記日車押さえの表面側に露出させる
ことを特徴とする時計ムーブメント。
【請求項３】
請求項１に記載の時計ムーブメントにおいて、
前記カレンダー車は、前記カレンダー板である円板状の曜板、および、前記曜板の裏面に固定された前記歯車部である曜星車を有し、前記カレンダー情報である曜情報が印刷されていない曜車であり、
前記曜星車の歯車に係合する曜ジャンパーを有し、
前記露出部は、前記曜板に形成されて、前記曜星車の少なくとも一つの歯の歯先を前記位置確認部として前記曜板の表面側に露出させる
ことを特徴とする時計ムーブメント。
【請求項４】
請求項１から請求項３のいずれかに記載の時計ムーブメントにおいて、
前記時計ムーブメントは、時計ムーブメントを搬送するパレットのガイドピンが挿通される複数の案内穴を有することを特徴とする時計ムーブメント。
【請求項５】
請求項１に記載の時計ムーブメントをパレットに固定した後に、前記時計ムーブメント表面をカメラで撮影し、
前記位置確認部が適正位置にあることが確認できた後に、前記パレットを印刷装置に移動して前記カレンダー板の印刷予定領域にカレンダー情報を印刷することを特徴とする時計ムーブメント製造方法。
【請求項６】
請求項２に記載の時計ムーブメントをパレットに固定した後に、前記時計ムーブメント表面をカメラで撮影し、
前記日板の回転中心から前記日ジャンパーの先端までの距離が規格寸法であることが確認できた後に、前記パレットを印刷装置に移動して前記日板の印刷予定領域に日情報を印刷することを特徴とする時計ムーブメント製造方法。
【請求項７】
請求項３に記載の時計ムーブメントをパレットに固定した後に、前記時計ムーブメント表面をカメラで撮影し、
前記曜星車の歯の歯先が、曜星車の回転中心を通り予め設定された基準線上にあることが確認できた後に、前記パレットを印刷装置に移動して前記曜板の印刷予定領域に曜情報を印刷することを特徴とする時計ムーブメント製造方法。
【請求項８】
請求項５から請求項７のいずれかに記載の時計ムーブメント製造方法において、
前記パレットは複数本のガイドピンを有し、
前記時計ムーブメントは複数の案内穴を有し、
前記案内穴に前記ガイドピンを挿通して前記時計ムーブメントをパレットに固定することを特徴とする時計ムーブメント製造方法。
【発明の詳細な説明】
【技術分野】
【０００１】
本発明は、日車や曜車等のカレンダー車を有する時計ムーブメントおよび時計ムーブメント製造方法に関する。
【背景技術】
【０００２】
従来、腕時計のムーブメント内に組み込まれる日車や曜車などのカレンダー車は、ムーブメントとは別に製造、印刷が行われ、印刷後ムーブメント内に組み込まれる（例えば、特許文献１）。
【先行技術文献】
【特許文献】
【０００３】
【特許文献１】特開２００４−２８６６５９号公報
【発明の概要】
【発明が解決しようとする課題】
【０００４】
ところで、前記カレンダー車に印刷される日付や曜日などの数字や文字等の表示態様、例えば書体、サイズ、色などは、時計の機種等に応じて様々なものが用いられる。特に、腕時計は、機能性だけでなくデザイン性も評価されるため、カレンダー車における表示態様の種類も非常に多い。
【０００５】
このため、カレンダー車の表示態様を決めてからカレンダー車の製造、印刷を行う場合には、製品が完成するまでのリードタイムを短縮することが難しいという問題がある。
また、腕時計用のムーブメントを外販する場合、カレンダー車の表示態様を外販先の仕様に合わせて設定しなければならず、ムーブメントの注文を受けてから外販先に納入するまでの期間（リードタイム）はさらに長くなるという問題がある。
さらに、ムーブメントの製造ラインにおいて、多品種のカレンダー車を在庫として保持しておかなければならず、在庫管理コストが増大するという問題もあった。
【０００６】
本発明の目的は、リードタイムを短縮でき、カレンダー車の在庫を無くすことができる時計ムーブメントおよび時計ムーブメント製造方法を提供することにある。
【課題を解決するための手段】
【０００７】
本発明の時計ムーブメントは、カレンダー情報の印刷予定領域を有するカレンダー板および歯車部を有し、前記カレンダー情報が印刷されていないカレンダー車と、前記カレンダー車を駆動する駆動機構と、前記歯車部の歯の位置を確認するための位置確認部を表面側に露出させる露出部と、を備えることを特徴とする。
【０００８】
ここで、カレンダー車は、日車、曜車、月車、年車等であり、時計の機能やデザイン等に合わせて選択される。また、前記位置確認部は、歯車部の歯の先端などの歯の位置を直接確認できる部分でもよいし、歯車部に係合する位置決め用のジャンパーなどの歯車の歯の位置を間接的に確認できる部分でもよい。
本発明によれば、カレンダー車の歯の位置を確認するための位置確認部をムーブメントの表面側に露出させる露出部を有するので、カレンダー車をムーブメントに組み込んだ状態で、カレンダー車の歯の位置が決められた所定位置にあるかを確認できる。そのため、カレンダー車をムーブメントに組み込んだ状態で、かつ、カレンダー車が所定位置にある状態で、数字や文字等のカレンダー情報を印刷することができる。従って、カレンダー車に対してカレンダー情報を正しい位置に印刷できる。また、個別の時計ムーブメント毎にカレンダー情報を印刷できるので、印刷されたカレンダー車の在庫管理を不要にでき、多品種少量生産を容易に実現できる。
さらに、時計ムーブメントのメーカーは、カレンダー情報が印刷されていない状態の時計ムーブメントを外販でき、カレンダー車の表示態様を外販先の仕様に合わせて設定する必要がないため、外販用の時計ムーブメントの受注から納入までのリードタイムを容易に短縮できる。
また、時計ムーブメントを購入した時計メーカーは、時計の組立ラインにおいて、自社の仕様に合わせた表示態様でカレンダー車の印刷を行うことができる。このため、カレンダー車の表示態様を決定してから時計の発売までの期間（リードタイム）を、時計ムーブメントのメーカーに表示態様の仕様を決めて発注する場合に比べて、短縮できる。このため、デザインの流行を取り入れた時計をタイミング良く発売することができる。
【０００９】
本発明の時計ムーブメントにおいて、前記カレンダー車は、前記カレンダー板であるリング状の日板、および、前記日板の内周に形成された前記歯車部である内歯車を有し、前記カレンダー情報である日情報が印刷されていない日車であり、前記内歯車の表面側に配置されて前記日車を押さえる日車押さえと、前記日車の内歯車に係合する日ジャンパーとを有し、前記露出部は、前記日車押さえに形成されて、前記内歯車に係合する日ジャンパーの先端を前記位置確認部として前記日車押さえの表面側に露出させることが好ましい。
【００１０】
本発明によれば、日車押さえに溝や孔等の露出部を形成することで、日車をムーブメントに組み込んだ状態でも、日ジャンパーの先端を位置確認部として日車押さえの表面側に露出でき、その位置をカメラなどで撮影することで確認できる。すなわち、日ジャンパーと内歯車（日車）とが正しい係合位置で係合していれば、日ジャンパーの先端は内歯車の歯底に最も近づくことになる。一方、日車の位置が回転方向にずれている場合には、日ジャンパーは内歯車で押されて内歯車の歯底から離れた状態になる。
従って、例えば、日車の回転中心から前記日ジャンパーの先端までの長さを、撮影画像で確認して、その長さが規格寸法よりも短ければ、日車がずれた位置にあると判断でき、規格寸法であれば、日車が正しい位置にあると判断できる。このため、日ジャンパーの先端つまり位置確認部の位置を確認することで、正しい位置にある日車に対して、日情報を印刷することができる。
【００１１】
本発明の時計ムーブメントにおいて、前記カレンダー車は、前記カレンダー板である円板状の曜板、および、前記曜板の裏面に固定された前記歯車部である曜星車を有し、前記カレンダー情報である曜情報が印刷されていない曜車であり、前記曜星車の歯車に係合する曜ジャンパーを有し、前記露出部は、前記曜板に形成されて、前記曜星車の少なくとも一つの歯の歯先を前記位置確認部として前記曜板の表面側に露出させることが好ましい。
【００１２】
本発明によれば、曜車に孔等の露出部を形成することで、曜車をムーブメントに組み込んだ状態でも、曜星車の歯の先端を位置確認部として曜板の表面側に露出でき、その位置をカメラなどで撮影することで確認できる。すなわち、曜ジャンパーと曜星車（曜車）とが正しい係合位置で係合していれば、曜星車の歯の歯先の回転方向の位置は、予め設定された位置にあるはずである。
従って、前記曜星車の回転中心から放射状に延びる基準線を、前記撮影画像上に設定して、前記歯先が基準線上に位置することを確認できれば、曜車が正しい位置にあると判断できる。このため、曜星車の歯先つまり位置確認部の位置を確認することで、正しい位置にある曜車に対して、曜情報を印刷することができる。
【００１３】
本発明の時計ムーブメントにおいて、前記時計ムーブメントは、時計ムーブメントを搬送するパレットのガイドピンが挿通される複数の案内穴を有することが好ましい。
【００１４】
時計ムーブメントにおいて、地板などに対してカレンダー車の位置を正しい位置に合わせたとしても、時計ムーブメント自体が印刷装置に対して位置決めされていないと、カレンダー情報を正しい位置に印刷できない。このため、時計ムーブメントを印刷装置に対して正しくかつ容易に位置決めすることが求められる。
そこで、本発明によれば、時計ムーブメントを搬送するパレットに複数本（例えば２本）のガイドピンを設け、時計ムーブメントに前記ガイドピンが挿通される複数の案内穴を設けているので、時計ムーブメントの案内穴をガイドピンに挿通するだけで、パレットつまりは印刷装置に対して時計ムーブメントを位置決めできる。また、案内穴をガイドピンに挿通するだけでよいため、時計ムーブメントの設置作業も容易に行うことができる。
【００１５】
本発明の時計ムーブメント製造方法は、カレンダー車を有する前記時計ムーブメントをパレットに固定した後に、前記時計ムーブメント表面をカメラで撮影し、前記位置確認部が適正位置にあることが確認できた後に、前記パレットを印刷装置に移動して前記カレンダー板の印刷予定領域にカレンダー情報を印刷することを特徴とする。
【００１６】
本発明の時計ムーブメント製造方法は、カレンダー車として日車を有する前記時計ムーブメントをパレットに固定した後に、前記時計ムーブメント表面をカメラで撮影し、前記日板の回転中心から前記日ジャンパーの先端までの距離が規格寸法であることが確認できた後に、前記パレットを印刷装置に移動して前記日板の印刷予定領域に日情報を印刷することを特徴とする。
【００１７】
本発明の時計ムーブメント製造方法は、カレンダー車として曜車を有する前記時計ムーブメントをパレットに固定した後に、前記時計ムーブメント表面をカメラで撮影し、前記曜星車の歯の歯先が、曜星車の回転中心を通り予め設定された基準線上にあることが確認できた後に、前記パレットを印刷装置に移動して前記曜板の印刷予定領域に曜情報を印刷することを特徴とする。
【００１８】
これらの各発明によれば、カレンダー車（日車や曜車等）をムーブメントに組み込んだ状態でカレンダー情報（日情報や曜情報等）を印刷できるため、印刷済のカレンダー車が在庫として残ることはない。
また、パレットに時計ムーブメントを固定した後に、カメラで撮影した時計ムーブメント表面の撮影画像を用いて、位置確認部が適正位置にあることを確認できるため、パレットおよびムーブメントの地板などに対して、カレンダー車（日車や曜車等）が正しい位置にあることを容易に確認できる。さらに、カレンダー車が正しい位置にある状態で印刷できるため、カレンダー情報（日情報や曜情報等）の印刷位置のズレが発生することも防止できる。
【００１９】
本発明の時計ムーブメント製造方法において、前記パレットは複数本のガイドピンを有し、前記時計ムーブメントは複数の案内穴を有し、前記案内穴に前記ガイドピンを挿通して前記時計ムーブメントをパレットに固定することが好ましい。
【００２０】
本発明によれば、時計ムーブメントを搬送するパレットに複数本（例えば２本）のガイドピンを設け、時計ムーブメントに前記ガイドピンが挿通される複数の案内穴を設けているので、時計ムーブメントの案内穴をガイドピンに挿通するだけで、パレットつまりは印刷装置に対して時計ムーブメントを位置決めできる。また、案内穴をガイドピンに挿通するだけでよいため、時計ムーブメントの設置作業も容易に行うことができる。
【図面の簡単な説明】
【００２１】
【図１】本発明の第１実施形態における時計ムーブメントを示す平面図。
【図２】前記実施形態における時計ムーブメントの製造方法を示す工程図。
【図３】前記実施形態における時計ムーブメントを示す平面図。
【図４】前記実施形態における時計ムーブメントを組み込んだ腕時計を示す正面図。
【図５】本発明の第２実施形態における時計ムーブメントを示す平面図。
【図６】前記実施形態における曜星車および曜ジャンパーを示す平面図。
【図７】前記実施形態における時計ムーブメントを示す平面図。
【図８】前記実施形態における時計ムーブメントを組み込んだ腕時計を示す正面図。
【発明を実施するための形態】
【００２２】
〔第１実施形態〕
以下、本発明の第１実施形態の時計ムーブメント（以下ムーブメントと略すことがある）２について図面に基づいて説明する。
［時計ムーブメントの構成］
図１は、時計ムーブメント２を時計表面側からみた平面図である。時計ムーブメント２は、アナログクォーツ用の一般的なムーブメントと同様に、地板３と、地板３の裏面側に配置される電池およびステッピングモーター、基準信号源である水晶振動子や制御回路であるＩＣが組み込まれた回路基板、前記ステッピングモーターの駆動力を指針に伝達する輪列を備える。前記輪列は、時針が取り付けられて１２時間で一回転する筒車４を備えている。
さらに、時計ムーブメント２は、地板３の表面側に配置されたカレンダー車である日車１０と、この日車１０を駆動する駆動機構とを備える。
また、地板３において日車１０の外周側には、後述するパレットのガイドピンが挿入される案内穴５が形成されている
【００２３】
［日車の構成］
日車１０は、リング状の日板１１と、日板１１の内周に一体に形成された歯車部である内歯車１２とを備える一般的な日車である。このため、内歯車１２は、日板１１の内周に３１個の歯を備えて形成されている。
日板１１の表面は、カレンダー情報である日情報を印刷可能な印刷予定領域とされている。すなわち、日板１１の表面は、日情報、具体的には日を表す「１」から「３１」までの数字を印刷可能な領域とされている。ただし、時計ムーブメント２の組立時には、前記日板１１には日情報は印刷されていない。この日情報は、後述する印刷工程において、日板１１に印刷される。このため、日板１１の表面は、インクなどの特性に応じた材質で構成されていたり、印刷用の表面処理が施されている。
【００２４】
日車１０を駆動する駆動機構は、前記筒車４に連動して２４時間で１回転する日回し車１５を備えている。日回し車１５は、日送り爪１５１を備え、この日送り爪１５１で前記内歯車１２を１日に１歯分送って日車１０を１日分ずつ回転する。
さらに、日回し車１５は、曜送り爪１５２も備えている。すなわち、第１実施形態では、曜車は設けられていないが、曜車が設けられた場合でも対応できるように、日回し車１５は曜回し車を兼ねている。
【００２５】
日車１０の内歯車１２は、地板３に取り付けられた日ジャンパー１６の先端部１６１が係合し、内歯車１２の移動（回転）が規制される。日ジャンパー１６は、自身のばね力で先端部１６１が内歯車１２に向かう方向に常時付勢されている。先端部１６１は、その先端で交差する２つの傾斜面１６２、１６３を備える。
このため、日回し車１５が日車１０を図１において反時計回りに回転するときは、前記内歯車１２の歯は先端部１６１の回転方向手前側の傾斜面１６２に当接し、内歯車１２は日ジャンパー１６をその付勢力に抗して押し下げながら回転する。また、内歯車１２の歯が日ジャンパー１６の先端部１６１を超えると、歯は他の傾斜面１６３に当接して回転する。そして、日ジャンパー１６の先端部１６１が２つの歯の間に位置して各歯が各傾斜面１６２、１６３に当接している状態で、日ジャンパー１６が内歯車１２に係合し、日車１０の回転も停止する。
日車１０の回転が停止した際は、前記日ジャンパー１６がその付勢力で内歯車１２に係合する状態を維持するため、日車１０の移動が規制される。
従って、日車１０は、前記日回し車１５および日ジャンパー１６によって間欠的に駆動されて移動が規制される。
【００２６】
［日車押さえ］
地板３には、日車押さえ２０が取り付けられている。この日車押さえ２０は、前記日車１０の内歯車１２の表面側に配置されるガイド部２１を備えている。このため、日車１０は、時計用ケースなどに組み込まれる前の時計ムーブメント２の状態でも、時計ムーブメント２の表面側に外れることがない。従って、日車１０が取り付けられた状態で時計ムーブメント２を出荷、搬送できる。
日車押さえ２０には、ムーブメント２を表面側から見た際に、内歯車１２に係合する日ジャンパー１６の先端部１６１を表面側に露出する露出部２２が形成されている。
【００２７】
なお、日車押さえ２０には、曜車が取り付けられた場合に用いられる曜ジャンパー２５も形成されている。曜ジャンパー２５も、日ジャンパー１６と同様に、先端部２５１および傾斜面２５２、２５３を備えている。
【００２８】
［時計ムーブメントの製造方法］
次に、時計ムーブメント２の製造方法について説明する。
まず、図１に示す時計ムーブメント２を製造する。この際、日車１０に日情報を印刷していない点を除けば、時計ムーブメント２の製造方法は従来と同じである。
【００２９】
次に、日車１０の日板１１に日情報を印刷する。この印刷工程は、時計ムーブメント２のメーカーがその製造ラインにおいて行ってもよい。また、時計ムーブメント２のメーカーから時計ムーブメント２を購入したメーカーが時計を組み立てる際に行ってもよい。
印刷工程では、図２に示すように、印刷用のパレット４０を用いて時計ムーブメント２を搬送する。パレット４０は、２本のガイドピン４１が立設されており、このガイドピン４１に時計ムーブメント２の案内穴５を差し込んで固定する。
【００３０】
そして、パレット４０をベルトコンベア４２でカメラ（撮影装置）４３による撮影位置に搬送する。カメラ４３は、時計ムーブメント２の表面を撮影する。そして、印刷工程を制御する制御装置は、前記撮影画像（撮影データ）を用いて、日車１０の回転中心つまり筒車４の中心軸（秒カナ）から露出部２２で露出される日ジャンパー１６の先端部１６１までの距離を測定する。
この測定した距離が、予め設定された規格寸法であれば、つまり許容範囲の最小値から最大値間であれば、制御装置は、前記日ジャンパー１６が正しい所定の位置にあると判断する。
すなわち、時計ムーブメント２に対して日車１０が回転方向で正しい位置にあるときは、日ジャンパー１６の先端部１６１は２つの歯の中間位置にあり、最も日車１０に近づいた位置に配置される。このため、前記日車１０の回転中心から先端部１６１までの寸法も規格寸法となる。
一方で、時計ムーブメント２に対して日車１０の回転方向の位置がずれているときは、日ジャンパー１６の先端部１６１は２つの歯間の中間位置からずれた位置にあり、このため、先端部１６１は内歯車１２で押されて日車１０から離れた位置に配置される。このため、前記日車１０の回転中心から先端部１６１までの寸法も規格寸法よりも小さな値になり、日車１０の位置がずれていることが判定できる。
【００３１】
制御装置は、日ジャンパー１６が正しい位置にあると判断した場合は、パレット４０をインクマーキング部４４による印刷位置に移動する。日ジャンパー１６が正しい位置にないと判断した場合は、そのパレット４０を印刷ラインから外して日車１０の位置を調整する。
インクマーキング部４４は、インクジェットプリンターであり、日車１０の印刷予定領域である日板１１部分に日情報である数字を印刷する。このため、印刷される数字のフォントやサイズ等の表示形態は、日車１０毎つまりは時計ムーブメント２毎に設定可能である。従って、様々な表示態様の日車１０を有する時計ムーブメント２の多品種少量生産を容易に行うことができる。
【００３２】
以上の印刷工程を行うことで、図３に示すように、時計ムーブメント２に組み込まれた状態で日車１０に日情報が印刷される。
そして、図４に示すような腕時計１を製造するためには、日情報が印刷された時計ムーブメント２に、文字板５０、秒針５１、分針５２、時針５３を取り付け、さらに外装ケース５５内に組み込めばよい。
【００３３】
［第１実施形態の効果］
第１実施形態によれば、次のような作用効果が得られる。
（１）カレンダー車である日車１０の歯の位置を確認するための位置確認部である日ジャンパー１６の先端部１６１を、時計ムーブメント２の表面側に露出させる露出部２２を日車押さえ２０に設けたので、日車１０を時計ムーブメント２に組み込んだ状態で、日車１０の歯の位置が決められた所定位置にあるかを確認できる。
そのため、日車１０を時計ムーブメント２に組み込んだ状態で、かつ、日車１０が所定位置にある状態で、日情報（数字）を印刷できる。従って、日車１０に対して日情報を正しい位置に印刷できる。また、個別の時計ムーブメント２毎に日情報を印刷できるので、印刷された日車１０の在庫管理を不要にでき、多品種少量生産を容易に実現できる。
【００３４】
（２）時計ムーブメント２のメーカーは、日情報が印刷されていない状態の時計ムーブメント２を外販でき、日車１０の表示態様を外販先の仕様に合わせて設定する必要がない。このため、外販用の時計ムーブメント２の受注から納入までのリードタイムを容易に短縮できる。
【００３５】
（３）時計ムーブメント２を購入した時計メーカーは、時計の組立ラインにおいて、自社の仕様に合わせた表示態様で日車１０の印刷を行うことができる。このため、日車１０の表示態様を決定してから時計の発売までの期間（リードタイム）を、時計ムーブメント２のメーカーに表示態様の仕様を決めて発注する場合に比べて、短縮できる。このため、デザインの流行を取り入れた時計をタイミング良く発売することができる。
【００３６】
（４）日車押さえ２０に露出部２２を形成することで、日車１０を時計ムーブメント２に組み込んだ状態でも、日ジャンパー１６の先端部１６１を位置確認部として日車押さえ２０の表面側に露出でき、その位置をカメラ４３で撮影することで確認できる。
特に、日車１０の回転中心から日ジャンパー１６の先端部１６１までの長さ寸法を、撮影画像で確認して、その長さが規格寸法よりも短ければ、日車がずれた位置にあると判断でき、規格寸法であれば、日車が正しい位置にあると判断できる。このため、日ジャンパー１６の先端部１６１つまり位置確認部の位置を確認することで、正しい位置にある日車１０に対して、日情報を印刷することができる。
その上、日ジャンパー１６の位置が正しい位置にあるかを、日車１０の回転中心から先端部１６１までの長さ寸法で確認できるため、画像処理と組み合わせて制御装置で自動的に判断しやすく、印刷処理の自動化も容易に行うことができる。
【００３７】
［第２実施形態］
次に、本発明の第２実施形態の時計ムーブメント２Ａについて図５〜８を参照して説明する。
第２実施形態の時計ムーブメント２Ａは、カレンダー車として日車１０Ａに加えて曜車６０を設けた点が第１実施形態と相違する。従って、時計ムーブメント２と同じ構成に関しては説明を省略する。
【００３８】
時計ムーブメント２Ａにおいて、日車１０Ａを駆動する駆動機構は、図１に示す第１実施形態と同一である。
日車１０Ａは、図５に示すように、前記第１実施形態の日車１０と同様に、リング状の日板１１Ａと、日板１１Ａの内周に一体に形成された歯車部である内歯車（図示略）とを備える。
第１実施形態と同様に、日板１１Ａの表面は、カレンダー情報である日情報を印刷可能な印刷予定領域とされ、時計ムーブメント２Ａの組立時には、前記日板１１Ａには日情報は印刷されていない。
【００３９】
また、日板１１Ａは、外周縁の少なくとも一箇所に、位置確認用の印１３が形成されている。本実施形態の印１３は、日板１１Ａの外周に形成されたＶ字状の切欠（Ｖ字溝）である。そして、この印１３は、日板１１Ａの組込時等に、３時方向（リューズ側）に配置されている。
本実施形態では、この印１３が日車１０Ａの内歯車の位置を確認するための位置確認部である。また、印１３は、日板１１Ａに直接形成されており、時計ムーブメント２Ａの表面側から直接確認できるため、印１３は位置確認部を表面側に露出させる露出部も兼ねている。
【００４０】
前記日車１０Ａの内周側には、曜車６０が配置されている。曜車６０は、図５，６に示すように、円板状の曜板６１と、曜板６１の裏面に固定された曜星車６２とを備える。なお、曜板６１および曜星車６２は、従来と同様に、曜星車６２に形成した突起６５を曜板６１の孔に挿入してカシメや圧入によって固定される。
【００４１】
曜板６１の表面は、カレンダー情報である曜情報を印刷可能な印刷予定領域とされている。すなわち、曜板６１の表面は、曜情報、具体的には曜日を表す文字は印刷されていない。
そして、後述する印刷工程において、曜情報を印刷できるように、曜板６１の表面は、インクなどの特性に応じた材質で構成されていたり、印刷用の表面処理が施されている。
【００４２】
曜車６０を駆動する駆動機構は、前記第１実施形態の図１で説明したように、曜送り爪１５２を備えて曜回し車を兼ねる日回し車１５を備えている。この日回し車１５は、前述したように、筒車４に連動して２４時間で１回転し、前記曜送り爪１５２で前記曜星車６２を間欠的に駆動して、曜車６０を回転する。
本実施形態では、後述するように、曜星車６２には１４個の歯６３が形成されている。一方、日回し車１５には、２つの曜送り爪１５２が形成されている。このため、曜送り爪１５２は、日回し車１５が１回転する毎に、曜星車６２を２歯分回転する。このため、図７に示すように、漢字およびアルファベットの２種類の文字種の曜情報を交互に印刷することで、利用者が選択した文字種で曜情報を表示できる。なお、曜車６０は７日で１回転するため、１日で３６０／７＝約５１．４度回転する。
【００４３】
また、図６に示すように、曜星車６２の歯６３は、日車押さえ２０に形成された曜ジャンパー２５の先端部２５１で付勢されている。曜ジャンパー２５は、自身のばね力で先端部２５１が歯６３に向かう方向に常時付勢されている。先端部２５１は、その先端で交差する２つの傾斜面２５２、２５３を備える。このため、図５，６において、曜車６０が日回し車１５で時計回りに回転するときは、前記歯６３が前記傾斜面２５２に当接し、曜ジャンパー２５をその付勢力に抗して押し下げる。また、歯６３が先端部２５１を乗り越えると、歯６３は傾斜面２５３に当接して回転する。２つの歯が各傾斜面２５２、２５３に当接し、先端部２５１が各歯６３間に位置すると、曜車６０は停止する。曜車６０の回転が停止した際は、前記曜ジャンパー２５がその付勢力で歯６３に係合する状態を維持するため、曜車６０の移動が規制される。
従って、曜車６０は、前記日回し車（曜回し車）１５および曜ジャンパー２５によって間欠的に駆動されて移動が規制される。
【００４４】
曜板６１には、時計ムーブメント２Ａを表面側から見た際に、曜星車６２の一部の歯６３の先端部６３１を歯６３の表面側に露出する露出孔（露出部）６４が形成されている。露出孔６４は、曜車６０の回転中心に対して点対称位置に２箇所設けられている。
そして、前記曜星車６２が曜ジャンパー２５に係合して所定の位置に位置決めされている状態で、前記歯６３の先端部６３１が露出孔６４から露出するように露出孔６４の位置が設定されている。
【００４５】
曜車６０は、筒車４の筒状の軸に係合する平面Ｃ字状のリングからなる曜押さえ６６によって時計ムーブメント２Ａから外れることがないように取り付けられている。
【００４６】
［時計ムーブメントの製造方法］
次に、時計ムーブメント２Ａの製造方法について説明する。
まず、図５に示す時計ムーブメント２Ａを製造する。この際、日車１０Ａおよび曜車６０に日情報、曜情報を印刷していない点を除けば、時計ムーブメント２Ａの製造方法は従来と同じである。なお、日車１０Ａは、前記印１３が３時方向に位置するように組み込む。
【００４７】
次に、前記第１実施形態の図２と同様な印刷工程を実施する。この印刷工程は、時計ムーブメント２Ａのメーカーがその製造ラインにおいて行ってもよい。また、時計ムーブメント２Ａのメーカーから時計ムーブメント２Ａを購入したメーカーが時計を組み立てる際に行ってもよい。
【００４８】
印刷工程では、時計ムーブメント２Ａをパレット４０に固定し、時計ムーブメント２Ａの表面、つまり日車１０Ａおよび曜車６０をカメラ４３で撮影する。
そして、印刷工程を制御する制御装置は、前記撮影データを用いて、図５に示すように、曜星車６２の歯６３の先端部６３１が円周方向に１４等分された基準線７０上にあるか、日車１０Ａの印１３の溝先端が３時方向の基準線７１上にあるかを確認する。すなわち、制御装置は、図５に示すように、画像データとして予め用意された基準線７０、７１の中心（交点）を、撮影した時計ムーブメント２Ａの日車１０Ａおよび曜車６０の回転中心、具体的には秒カナ部分に重ねる。そして、前記露出孔６４内の歯６３の先端部６３１が基準線７０上に位置するか、印１３の溝先端が基準線７１上に位置するかを確認する。
そして、先端部６３１が基準線７０上に位置すれば、制御装置は、前記歯６３は曜ジャンパー２５で正しい位置に位置決めされていると判断する。
また、印１３の溝先端が基準線７１上に位置すれば、制御装置は、前記日車１０Ａは日ジャンパー１６で正しい位置に位置決めされていると判断する。
【００４９】
制御装置は、先端部６３１が基準線７０上にあり、かつ、印１３が基準線７１上にあると判断した場合は、パレット４０をインクマーキング部４４に移動する。先端部６３１や印１３が基準線７０、７１上にないと判断した場合は、そのパレット４０を印刷ラインから外して曜車６０や日車１０Ａの位置を調整する。
【００５０】
インクマーキング部４４は、日車１０Ａの印刷予定領域である日板１１Ａ部分に日情報である数字を印刷し、曜車６０の印刷予定領域である曜板６１部分に曜情報である文字を印刷する。この際、日車１０Ａおよび曜車６０に、日情報および曜情報を同時に印刷してもよいし、日情報または曜情報を印刷した後、曜情報または日情報を印刷してもよい。
このため、印刷される数字や文字のフォントやサイズ等の表示形態は、各時計ムーブメント２Ａの日車１０Ａや曜車６０毎に設定可能である。従って、日車１０Ａや曜車６０を有する時計ムーブメント２Ａの多品種少量生産を容易に行うことができる。
【００５１】
以上の印刷工程を行うことで、図７に示すように、時計ムーブメント２Ａに組み込まれた状態で日車１０Ａおよび曜車６０に日情報および曜情報が印刷される。ここで、曜情報としては、アルファベット「ＳＵＮ、ＭＯＮ、ＴＵＥ、ＷＥＤ、ＴＨＵ、ＦＲＩ、ＳＡＴ」や漢字「日、月、火、水、木、金、土」などの曜日を示す文字が印刷される。本実施形態では、曜車６０に、アルファベットの曜表示と、漢字の曜表示とを交互に印刷し、曜日表示をアルファベットおよび漢字間で変更できるようにしている。なお、一方の文字種のみで曜情報を表示する場合には、その文字種による曜情報を、反時計回りで３６０／７度の間隔で印刷すればよい。
そして、図８に示すような腕時計１Ａを製造するためには、日情報および曜情報が印刷された時計ムーブメント２Ａに、文字板５０、秒針５１、分針５２、時針５３を取り付け、さらに外装ケース５５内に組み込めばよい。
【００５２】
［第２実施形態の効果］
第２実施形態によれば、前記第１実施形態と同様の作用効果が得られる。特に、日車１０Ａだけでなく、曜車６０も備え、かつ、日車１０Ａおよび曜車６０を時計ムーブメント２Ａに組み込んだ状態で日情報や曜情報を印刷できるので、様々なバリエーションの腕時計１Ａを製造でき、多品種少量生産を容易に実現できる。
また、印刷された日車１０Ａおよび曜車６０の在庫管理を不要にできるので、管理コストも大幅に低減できる。
さらに、曜車６０および日車１０Ａにおいても、位置確認部である先端部６３１や印１３が基準線７０、７１上に位置するかを確認しているので、曜車６０や日車１０Ａを時計ムーブメント２Ａに組み込んだ状態で、曜車６０や日車１０Ａの歯の位置が決められた所定位置にあるかを確認できる。
そのため、曜車６０および日車１０Ａを時計ムーブメント２Ａに組み込んだ状態で、かつ、曜車６０および日車１０Ａが所定位置にある状態で、曜情報（文字）および日情報（数字）を印刷できる。従って、曜車６０および日車１０Ａに対して曜情報および日情報を正しい位置に印刷できる。また、個別の時計ムーブメント２Ａ毎に曜情報および日情報を印刷できるので、印刷された曜車６０および日車１０Ａの在庫管理を不要にでき、多品種少量生産を容易に実現できる。
【００５３】
また、外販用の時計ムーブメント２Ａの受注から納入までのリードタイムや、日車１０Ａ、曜車６０の表示態様を決定してから時計の発売までのリードタイムを短縮でき、デザインの流行を取り入れた時計をタイミング良く発売することができる。
【００５４】
なお、本発明は、前記実施形態に限定されるものではない。
例えば、前記各実施形態では、インクマーキング部４４としてインクジェットプリンターを用いていたが、パッド印刷機などの他の印刷装置を用いてもよい。要するに、インクマーキング部４４としては、時計ムーブメント２、２Ａに組み込まれた状態の日車１０、１０Ａや曜車６０に、所定の数字や文字を印刷できるものであればよい。
【００５５】
また、前記第１実施形態では、日ジャンパー１６の先端部１６１を位置確認部としていたが、第２実施形態と同様に、内歯車１２の歯の先端など、内歯車１２に位置確認部を設けてもよい。この場合も、第２実施形態と同様に、内歯車１２に対応する基準線を設定して歯の位置を確認すればよい。
一方、第２実施形態では、第１実施形態と同様に、曜ジャンパー２５の先端部２５１を位置確認部としてもよい。この場合も、第１実施形態と同様に、先端部２５１と曜車６０の回転中心との寸法を測定して確認すればよい。
【００５６】
前記第２実施形態では、曜板６１に２個の露出孔６４を形成していたが、３個以上、１４個以下の露出孔６４を形成してもよい。特に、１４個の露出孔６４を形成すれば、任意の位置の歯６３の先端部６３１を確認できる。
また、第２実施形態では、日板１１ＡにＶ溝状の印１３を形成していたが、日板１１Ａ表面に突起や凹部を形成して印１３としてもよい。要するに、印１３は基準線７１に一致するかを撮影画像上で確認できるものであればよい。さらに、印１３の数は１つに限定されず複数形成してもよい。この場合、例えば、印１３を、３時および９時位置に形成したり、６時および１２時位置に形成すればよい。この際、基準線７１の位置や数は、印１３の位置や数に合わせて設定すればよい。
【００５７】
日車１０、１０Ａとしては、前記リング状のものに限らず、円板状のものでもよい。また、日の十位の値を表示する十位車と、一位の値を表示する一位車との２つの車で構成した日車を用いてもよい。
また、カレンダー車としては、日車や曜車に限らず、月を表す月車や、年を表す年車でもよい。
さらに、本発明の時計ムーブメントは、太陽電池等の発電機と二次電池とを備える発電機構付きのものでもよい。さらに、時計ムーブメントとしては、ステッピングモーターで駆動されるものに限らず、ゼンマイやガンギ、アンクルなどを用いた機械式の時計ムーブメントでもよい。
【符号の説明】
【００５８】
１、１Ａ…腕時計、２、２Ａ…時計ムーブメント、３…地板、４…筒車、５…案内穴、１０、１０Ａ…日車、１１、１１Ａ…日板、１２…内歯車、１３…印、１５…日回し車、１６…日ジャンパー、２０…日車押さえ、２２…露出部、２５…曜ジャンパー、４０…パレット、４１…ガイドピン、４３…カメラ、４４…インクマーキング部、５０…文字板、５５…外装ケース、６０…曜車、６１…曜板、６２…曜星車、６３…歯、６４…露出孔、６６…曜押さえ、７０、７１…基準線、１５１…日送り爪、１５２…曜送り爪、１６１、２５１、６３１…先端部。
【図１】
2013190297.tif 000003
【図２】
2013190297.tif 000004
【図３】
2013190297.tif 000005
【図４】
2013190297.tif 000006
【図５】
2013190297.tif 000007
【図６】
2013190297.tif 000008
【図７】
2013190297.tif 000009
【図８】
2013190297.tif 000010